【手続補正書】
【提出日】平成18年3月2日(2006.3.2)
【手続補正１】
【補正対象書類名】明細書
【補正対象項目名】特許請求の範囲
【補正方法】変更
【補正の内容】
【特許請求の範囲】
【請求項１】
シリアルバスに接続されたデバイスのメモリから、前記デバイスに関するデバイス情報を取得する取得手段と、
前記シリアルバスに接続されたデバイスを検索するための検索条件を設定する設定手段と、
前記設定手段により設定された複数の検索条件それぞれを識別可能に表示する表示手段と、
前記取得手段により取得されるデバイス情報に基づき、前記複数の検索条件の中からユーザによって選択された検索条件に合致するデバイスのリストを作成する制御手段とを有することを特徴とする情報処理装置。
【請求項２】
シリアルバスに接続されたデバイスのメモリから、前記デバイスに関するデバイス情報を取得する取得手段と、
前記シリアルバスに接続されたデバイスを検索するための検索条件および前記検索条件の優先度を設定する設定手段と、
前記取得手段により取得されるデバイス情報に基づき、前記設定された検索条件に合致するデバイスを前記設定された優先度の順に示すリストを作成する制御手段とを有することを特徴とする情報処理装置。
【請求項３】
シリアルバスに接続されたデバイスのメモリから、前記デバイスに関するデバイス情報を取得する取得手段と、
前記シリアルバスに接続されたデバイスを検索するための検索条件、前記検索条件の優先度および検索範囲を設定する設定手段と、
前記設定された検索範囲のデバイス情報を前記取得手段によって取得し、前記設定された検索条件に合致するデバイスを前記設定された優先度の順に示すリストを作成する制御手段とを有することを特徴とする情報処理装置。
【請求項４】
前記リストには、デバイスに固有の名称またはデバイスの種類別のシリアル番号が用いられることを特徴とする請求項1から請求項3の何れかに記載された情報処理装置。
【請求項５】
前記シリアル番号でリストされたデバイスのうち、前記シリアルバスのリセット後も接続されているデバイスの前記シリアル番号は変更されないことを特徴とする請求項4に記載された情報処理装置。
【請求項６】
前記リストされたデバイスのシリアル番号は、前記シリアルバスのリセット後に非接続になったデバイスが存在しても、その後の所定回数のバスリセットの間は変更されないことを特徴とする請求項4に記載された情報処理装置。
【請求項７】
前記リストされたデバイスのシリアル番号は、前記シリアルバスのリセット後に非接続になったデバイスが存在しても、その後の所定期間は変更されないことを特徴とする請求項4に記載された情報処理装置。
【請求項８】
前記デバイス情報には、デバイスの所在場所を示す情報、デバイスの階層位置を示す情報、デバイスの能力を示す情報、デバイスの通信プロトコルを示す情報、複数の通信プロトコルを同時にサポート可能か否かを示す情報、複数の通信プロトコルの使用優先順位を示す情報、デバイスの機能を示す情報、デバイスの接続状況を示す情報、および、デバイスの接続状況を示す情報の内の少なくとも一つが含まれることを特徴とする請求項1から請求項7の何れかに記載された情報処理装置。
【請求項９】
前記機能を示す情報によって表される機能には、プリンタ、ファクシミリ、スチルカメラ、ビデオカメラ、ビデオチューナ、モニタ、オーディオビジュアル機器、ディジタルビデオディスク、スキャナ、コピー、パーソナルコンピュータおよびゲートウェイの内の少なくとも一つが含まれることを特徴とする請求項8に記載された情報処理装置。
【請求項１０】
前記デバイス情報は、前記メモリのコンフィグレーションROM領域に格納されていることを特徴とする請求項1から請求項9の何れかに記載された情報処理装置。
【請求項１１】
さらに、前記リストを表示するリスト表示手段を有することを特徴とする請求項1から請求項7の何れかに記載された情報処理装置。
【請求項１２】
さらに、前記リスト表示手段により表示されたリストからデバイスが選択されると、前記選択されたデバイスの詳細な情報を表示する詳細表示手段を有することを特徴とする請求項11に記載された情報処理装置。
【請求項１３】
前記詳細表示手段は、前記デバイス情報に含まれるデバイスの所在場所を示す情報、デバイスの能力を示す情報、デバイスの機能を示す情報、デバイスのトランスポート情報、デバイスの接続状況を示す情報、および、デバイスの接続状況を示す情報の内の少なくとも一つを表示することを特徴とする請求項12に記載された情報処理装置。
【請求項１４】
シリアルバスに接続されたデバイスのメモリから、前記デバイスに関するデバイス情報を取得する取得ステップと、
前記シリアルバスに接続されたデバイスを検索するための検索条件を設定する設定ステップと、
前記設定した複数の検索条件それぞれを識別可能に表示する表示ステップと、
前記取得したデバイス情報に基づき、前記複数の検索条件の中からユーザによって選択された検索条件に合致するデバイスのリストを作成する作成ステップとを有することを特徴とする情報処理方法。
【請求項１５】
シリアルバスに接続されたデバイスのメモリから、前記デバイスに関するデバイス情報を取得する取得ステップと、
前記シリアルバスに接続されたデバイスを検索するための検索条件および前記検索条件の優先度を設定する設定ステップと、
前記取得したデバイス情報に基づき、前記設定した検索条件に合致するデバイスを前記設定した優先度の順に示すリストを作成する作成ステップとを有することを特徴とする情報処理方法。
【請求項１６】
シリアルバスに接続されたデバイスのメモリから、前記デバイスに関するデバイス情報を取得する取得ステップと、
前記シリアルバスに接続されたデバイスを検索するための検索条件、前記検索条件の優先度および検索範囲を設定する設定ステップと、
前記設定した検索範囲のデバイス情報を前記取得ステップで取得し、前記設定した検索条件に合致するデバイスを前記設定した優先度の順に示すリストを作成する作成ステップとを有することを特徴とする情報処理方法。
【請求項１７】
情報処理装置を制御して、請求項14から請求項16の何れかに記載された情報処理を実行するコンピュータプログラムが記録されたことを特徴とするコンピュータが読み取り可能な記録媒体。
【請求項１８】
シリアルバスに接続される情報処理装置であって、
前記情報処理装置に関するデバイス情報と、前記デバイス情報の更新状況を示す更新情報を格納するメモリと、
前記デバイス情報および前記更新情報を前記シリアルバスを介して送信する送信手段とを有することを特徴とする情報処理装置。
【請求項１９】
さらに、前記デバイス情報を更新した場合、前記シリアルバスに接続された他のデバイスに対して更新情報を通知する通知手段を有することを特徴とする請求項18に記載された情報処理装置。
【請求項２０】
前記更新情報はブロードキャストされることを特徴とする請求項19に記載された情報処理装置。
【請求項２１】
シリアルバスに接続されたデバイスのメモリから、前記デバイスに関するデバイス情報を取得する取得手段と、
前記シリアルバスに接続されたデバイスのデバイスマップを作成する作成手段とを有し、
既にデバイスマップが作成されている場合、前記取得手段は、前記メモリから前記デバイス情報の更新情報を取得し、前記デバイス情報が更新されたデバイスのデバイス情報を取得することを特徴とする情報処理装置。
【請求項２２】
シリアルバスに接続されたデバイスのから、前記デバイスに関するデバイス情報を取得する取得手段と、
前記シリアルバスを介して前記デバイスから、前記デバイスのデバイス情報が交信されたことを示す更新情報を受信する受信手段と、
前記シリアルバスに接続されたデバイスのデバイスマップを作成する作成手段とを有し、
既にデバイスマップが作成されている場合、前記取得手段は、前記受信手段により前記更新情報が受信されたデバイスのデバイス情報を取得することを特徴とする情報処理装置。
【手続補正２】
【補正対象書類名】明細書
【補正対象項目名】０００１
【補正方法】変更
【補正の内容】
【０００１】
【発明の属する技術分野】
本発明は、例えばIEEE1394などのシリアルバスを介して接続される複数の情報処理装置およびその方法に関する。
【手続補正３】
【補正対象書類名】明細書
【補正対象項目名】００１０
【補正方法】変更
【補正の内容】
【００１０】
本発明は、複数のデバイスが接続されたネットワーク環境において、ユーザが所望するデバイスを容易かつ速やかに検索することを目的とする。
【手続補正４】
【補正対象書類名】明細書
【補正対象項目名】００１１
【補正方法】変更
【補正の内容】
【００１１】
さらに、検索されたデバイスをユーザが認識し易く表示し、ユーザがその用途に応じて容易にデバイスを選択可能にすることを他の目的とする。
【手続補正５】
【補正対象書類名】明細書
【補正対象項目名】００１２
【補正方法】変更
【補正の内容】
【００１２】
また、一旦検索されたデバイスは同一方法により認識可能にすることを他の目的とする。
【手続補正６】
【補正対象書類名】明細書
【補正対象項目名】００１３
【補正方法】変更
【補正の内容】
【００１３】
また、複数のデバイスが接続されたネットワーク環境において、デバイスに機能その他の変更があったことを容易に認識可能にすることを他の目的とする。
【手続補正７】
【補正対象書類名】明細書
【補正対象項目名】００１４
【補正方法】変更
【補正の内容】
【００１４】
さらに、機能その他の変更があった場合に、その更新情報を他のデバイスへ通知可能にすることを他の目的とする。
【手続補正８】
【補正対象書類名】明細書
【補正対象項目名】００１６
【補正方法】変更
【補正の内容】
【００１６】
本発明にかかる情報処理は、シリアルバスに接続されたデバイスのメモリから、前記デバイスに関するデバイス情報を取得し、前記シリアルバスに接続されたデバイスを検索するための検索条件を設定し、前記設定された複数の検索条件それぞれを識別可能に表示し、前記取得したデバイス情報に基づき、前記複数の検索条件の中からユーザによって選択された検索条件に合致するデバイスのリストを作成することを特徴とする。
【手続補正９】
【補正対象書類名】明細書
【補正対象項目名】００１７
【補正方法】変更
【補正の内容】
【００１７】
また、シリアルバスに接続されたデバイスのメモリから、前記デバイスに関するデバイス情報を取得し、前記シリアルバスに接続されたデバイスを検索するための検索条件および前記検索条件の優先度を設定し、前記取得したデバイス情報に基づき、前記設定された検索条件に合致するデバイスを前記設定された優先度の順に示すリストを作成することを特徴とする。
【手続補正１０】
【補正対象書類名】明細書
【補正対象項目名】００１８
【補正方法】変更
【補正の内容】
【００１８】
また、シリアルバスに接続されたデバイスのメモリから、前記デバイスに関するデバイス情報を取得し、前記シリアルバスに接続されたデバイスを検索するための検索条件、前記検索条件の優先度および検索範囲を設定し、前記設定した検索範囲のデバイス情報を取得し、前記設定した検索条件に合致するデバイスを前記設定した優先度の順に示すリストを作成することを特徴とする。
【手続補正１１】
【補正対象書類名】明細書
【補正対象項目名】００１９
【補正方法】変更
【補正の内容】
【００１９】
好ましくは、前記リストには、デバイスに固有の名称またはデバイスの種類別のシリアル番号が用いられることを特徴とする。
【手続補正１２】
【補正対象書類名】明細書
【補正対象項目名】００２０
【補正方法】変更
【補正の内容】
【００２０】
本発明にかかる情報処理装置は、シリアルバスに接続される情報処理装置であって、前記情報処理装置に関するデバイス情報と、前記デバイス情報の更新状況を示す更新情報を格納するメモリと、前記デバイス情報および前記更新情報を前記シリアルバスを介して送信する送信手段とを有することを特徴とする。
【手続補正１３】
【補正対象書類名】明細書
【補正対象項目名】００２１
【補正方法】変更
【補正の内容】
【００２１】
好ましくは、前記デバイス情報を更新した場合、前記シリアルバスに接続された他のデバイスに対して更新情報を通知する通知手段を有することを特徴とする。
【手続補正１４】
【補正対象書類名】明細書
【補正対象項目名】００２２
【補正方法】変更
【補正の内容】
【００２２】
また、シリアルバスに接続されたデバイスのメモリから、前記デバイスに関するデバイス情報を取得する取得手段と、前記シリアルバスに接続されたデバイスのデバイスマップを作成する作成手段とを有し、既にデバイスマップが作成されている場合、前記取得手段は、前記メモリから前記デバイス情報の更新情報を取得し、前記デバイス情報が更新されたデバイスのデバイス情報を取得することを特徴とする。
【手続補正１５】
【補正対象書類名】明細書
【補正対象項目名】００２３
【補正方法】変更
【補正の内容】
【００２３】
また、シリアルバスに接続されたデバイスのから、前記デバイスに関するデバイス情報を取得する取得手段と、前記シリアルバスを介して前記デバイスから、前記デバイスのデバイス情報が交信されたことを示す更新情報を受信する受信手段と、前記シリアルバスに接続されたデバイスのデバイスマップを作成する作成手段とを有し、既にデバイスマップが作成されている場合、前記取得手段は、前記受信手段により前記更新情報が受信されたデバイスのデバイス情報を取得することを特徴とする。
【手続補正１６】
【補正対象書類名】明細書
【補正対象項目名】００２４
【補正方法】削除
【補正の内容】
【手続補正１７】
【補正対象書類名】明細書
【補正対象項目名】００２５
【補正方法】削除
【補正の内容】
【手続補正１８】
【補正対象書類名】明細書
【補正対象項目名】００２６
【補正方法】削除
【補正の内容】
【手続補正１９】
【補正対象書類名】明細書
【補正対象項目名】００２７
【補正方法】削除
【補正の内容】
【手続補正２０】
【補正対象書類名】明細書
【補正対象項目名】００２８
【補正方法】削除
【補正の内容】
【手続補正２１】
【補正対象書類名】明細書
【補正対象項目名】０２０７
【補正方法】変更
【補正の内容】
【０２０７】
【発明の効果】
以上説明したように、本発明によれば、複数のデバイスが接続されたネットワーク環境において、ユーザが所望するデバイスを容易かつ速やかに検索することができる。
【手続補正２２】
【補正対象書類名】明細書
【補正対象項目名】０２０８
【補正方法】変更
【補正の内容】
【０２０８】
さらに、検索されたデバイスをユーザが認識し易く表示し、ユーザがその用途に応じて容易にデバイスを選択することができる。
【手続補正２３】
【補正対象書類名】明細書
【補正対象項目名】０２０９
【補正方法】変更
【補正の内容】
【０２０９】
また、一旦検索されたデバイスは同一方法により認識可能にすることができる。
【手続補正２４】
【補正対象書類名】明細書
【補正対象項目名】０２１０
【補正方法】変更
【補正の内容】
【０２１０】
また、複数のデバイスが接続されたネットワーク環境において、デバイスに機能その他の変更があったことを容易に認識することができる。
【手続補正２５】
【補正対象書類名】明細書
【補正対象項目名】０２１１
【補正方法】変更
【補正の内容】
【０２１１】
さらに、機能その他の変更があった場合に、その更新情報を他のデバイスに通知可能にすることができる。